(57)【特許請求の範囲】
【請求項１】
テレビジョン放送信号を入力するための入力手段と、
前記入力手段によって入力されたテレビジョン放送信号をデコードして第１映像信号を生成するデコーダと、
基地局との無線通信を実行可能な無線通信手段と、
前記無線通信手段を介してネットワーク接続されるコンテンツプロバイダから受信するデータと、表示領域のレイアウト構成を示すレイアウト情報とに基づき、前記コンテンツプロバイダが提供するサービスを利用するための操作画面に対応する第２映像信号を出力する処理手段と、
前記デコーダによって生成された第１映像信号と、前記処理手段によって出力された第２の映像信号とを合成して表示するための制御を行う表示制御手段と、
を具備し、
前記表示領域は、前記テレビジョン放送信号によって搬送される放送番組データの視聴時に操作するアイコンを表示するための領域を除いた領域に対応するものである、
画像表示装置。
【請求項２】
リモートコントローラからの操作信号を受信する受信手段と、
前記受信手段によって受信された操作信号が前記コンテンツプロバイダが提供するサービスを利用するための操作に関するものであった場合、その操作内容を示すコマンドを前記表示制御手段に送信するユーザインタフェース制御手段と、
をさらに具備する請求項１記載の画像表示装置。
【請求項３】
前記表示制御手段は、前記デコーダによって生成された第１映像信号の映像を前記アイコンとして縮小して表示する請求項１記載の画像表示装置。
【請求項４】
前記表示制御手段は、前記アイコンが操作された場合、前記デコーダによって生成された第１映像信号を表示領域全域に表示制御する請求項１記載の画像表示装置。
【請求項５】
前記表示制御手段が前記デコーダによって生成された第１映像信号を表示領域全域に表示制御する際、前記無線通信手段および前記処理手段の動作を停止させる請求項４記載の画像表示装置。
【請求項６】
前記表示制御手段は、前記コンテンツプロバイダが提供するサービスを利用するための操作が行われた場合、表示領域全域を示すレイアウト情報を前記処理手段に供給し、前記処理手段によって出力される第２映像信号を表示領域全域に表示制御する請求項１記載の画像表示装置。
【請求項７】
前記表示制御手段は、前記デコーダによって生成された第１映像信号および前記処理手段によって出力された第２映像信号のうちの一方の映像を表示領域全域に配置し、かつ、その一部領域上に他方の映像を重ね合わせて配置すべく２つの映像信号を合成する合成処理を実行する請求項１記載の画像表示装置。
【請求項８】
前記表示制御手段は、前記デコーダによって生成された第１映像信号の映像および前記処理手段によって出力された第２映像信号の映像が互いに重なり合わないように表示領域に配置すべく２つの映像信号を合成する合成処理を実行する請求項１記載の画像表示装置。
【請求項９】
前記処理手段は、表示領域全域中の予め定められた表示領域内に配置可能なレイアウト構成で前記コンテンツプロバイダが提供するサービスを利用するための操作画面を作成して当該操作画面の映像信号を出力する請求項１記載の画像表示装置。
【請求項１０】
テレビジョン放送信号を入力するための入力手段と、前記入力手段によって入力されたテレビジョン放送信号をデコードして第１映像信号を生成するデコーダと、基地局との無線通信を実行可能な無線通信手段とを備える画像表示装置における表示制御方法であって、
前記無線通信手段を介してネットワーク接続されるコンテンツプロバイダから受信するデータと、表示領域のレイアウト構成を示すレイアウト情報とに基づき、前記コンテンツプロバイダが提供するサービスを利用するための操作画面に対応する第２映像信号を出力することと、
前記デコーダによって生成された第１映像信号と、前記出力された第２映像信号とを合成して表示するための制御を行うことと、
を具備し、
前記表示領域は、前記テレビジョン放送信号によって搬送される放送番組データの視聴時に操作するアイコンを表示するための領域を除いた領域に対応するものである、
表示制御方法。
【請求項１１】
リモートコントローラからの操作信号を受信することと、
前記受信された操作信号が前記コンテンツプロバイダが提供するサービスを利用するための操作に関するものであった場合、その操作内容を示すコマンドを前記制御を行うことに供給することと、
をさらに具備する請求項１０に記載の表示制御方法。
【請求項１２】
前記制御を行うことは、前記デコーダによって生成された第１映像信号の映像を前記アイコンとして縮小して表示することを含む請求項１０に記載の表示制御方法。
【請求項１３】
前記制御を行うことは、前記アイコンが操作された場合、前記デコーダによって生成された第１映像信号を表示領域全域に表示制御することを含む請求項１０に記載の表示制御方法。
【請求項１４】
前記デコーダによって生成された第１映像信号が表示領域全域に表示される際、前記無線通信手段および前記第２映像信号を出力することの動作を停止させることをさらに具備する請求項１３に記載の表示制御方法。
【請求項１５】
前記制御を行うことは、前記コンテンツプロバイダが提供するサービスを利用するための操作が行われた場合、表示領域全域を示すレイアウト情報を前記第２映像信号を出力することに供給し、前記出力される第２映像信号を表示領域全域に表示制御することを含む請求項１０に記載の表示制御方法。
【請求項１６】
前記制御を行うことは、前記第１映像信号および前記第２映像信号のうちの一方の映像を表示領域全域に配置し、かつ、その一部領域上に他方の映像を重ね合わせて配置すべく２つの映像信号を合成する合成処理を実行することを含む請求項１０に記載の表示制御方法。
【請求項１７】
前記制御を行うことは、前記第１映像信号の映像および前記第２映像信号の映像が互いに重なり合わないように表示領域に配置すべく２つの映像信号を合成する合成処理を実行することを含む請求項１０に記載の表示制御方法。
【請求項１８】
前記第２映像信号を出力することは、表示領域全域中の予め定められた表示領域内に配置可能なレイアウト構成で前記コンテンツプロバイダが提供するサービスを利用するための操作画面を作成して当該操作画面の映像信号を出力することを含む請求項１０に記載の表示制御方法。
【発明の詳細な説明】
【技術分野】
【０００１】
この発明は、例えば、テレビジョン放送信号によって搬送される放送番組データを視聴するためのテレビジョン受像機等に好適な表示制御技術に関する。
【背景技術】
【０００２】
近年、液晶テレビやプラズマテレビなどの薄型平面テレビが広く普及している。従来のブラウン管テレビと比較して、奥行きの寸法が大幅に縮小されているので、同じスペースで大画面のテレビを設置できることから、流通されるテレビの画面サイズの大型化が進んでいる。これに伴い、ディスプレイの解像度が高められ、以前よりも高精細の映像を楽しめるようになってきている。
【０００３】
一方、携帯電話機の普及も目覚ましく、かつ、高機能化が進んでおり、ブラウザはもはや基本装備となっている。そのために、ネットショッピングやオンラインゲーム等、インターネット上のコンテンツプロバイダが提供するサービスを、パーソナルコンピュータを用いて利用する形態と並んで、最近では、携帯電話機によって利用する形態も一般的になりつつある。携帯電話機の場合は、配線やインターネット・サービス・プロバイダ（ＩＳＰ）との契約などが不要で、購入して即時に利用可能となる手軽さから、この傾向は今後さらに強まることと予想される。
【０００４】
とはいえ、携帯電話機に搭載できる表示パネルのサイズには制限があるので、携帯電話機で利用しているコンテンツプロバイダのサービスを、（手軽さをそのままに）高精細な大画面で利用したいという要望が強かった。このようなことから、例えば、携帯電話機の画像をテレビジョン受像機に表示させる等の仕組みが種々提案されるに至っている。
【先行技術文献】
【特許文献】
【０００５】
【特許文献１】特開２００２−２８１１７４号公報
【特許文献２】特開２００２−１１２１３９号公報
【特許文献３】特開２００３−２４４２８９号公報
【発明の概要】
【発明が解決しようとする課題】
【０００６】
ところで、携帯電話機向けに提供されるコンテンツプロバイダのサービスを、高精細な大画面で利用するための仕組みに関する発想は、これまで、携帯電話機が表示する画像をテレビジョン受像機等に転送して表示するというものであった。つまり、ユーザは、携帯電話機の画面の代わりにテレビジョン受像機等の画面を見るだけのことであり、当該画面を見ながらの操作は依然として携帯電話機で行うことになる。テレビジョン受像機は、遠隔操作用のリモートコントローラを同梱して販売される。リモートコントローラは、携帯電話機上で行う操作と同様の操作を行うことが可能であり、また、テレビジョン受像機の画面を見ながらの操作は当該テレビジョン受像機のリモートコントローラで行うことが自然である。さらに言えば、テレビジョン受像機単体で、携帯電話機で利用していたコンテンツプロバイダのサービスを利用できれば、利便性は大きく向上する。
【０００７】
しかしながら、（携帯電話機無しで）テレビジョン受像機そのもので、携帯電話機向けに提供されるコンテンツプロバイダのサービスを、当該テレビジョン受像機の高精細な大画面で利用できるようにしようという発想は皆無であった。
【０００８】
この発明は、このような事情を考慮してなされたものであり、携帯電話機向けに提供されるコンテンツプロバイダのサービスを、低コストで、手軽かつより快適に利用することを実現した画像表示装置および同装置の表示制御方法を提供することを目的とする。
【課題を解決するための手段】
【０００９】
実施形態によれば、画像表示装置は、入力手段と、デコーダと、無線通信手段と、処理手段と、表示制御手段とを具備する。入力手段は、テレビジョン放送信号を入力する。デコーダは、前記入力手段によって入力されたテレビジョン放送信号をデコードして第１映像信号を生成する。無線通信手段は、基地局との無線通信を実行する。処理手段は、前記無線通信手段を介してネットワーク接続されるコンテンツプロバイダから受信するデータと、表示領域のレイアウト構成を示すレイアウト情報とに基づき、前記コンテンツプロバイダが提供するサービスを利用するための操作画面に対応する第２映像信号を出力する。表示制御手段は、前記デコーダによって生成された第１映像信号と、前記処理手段によって出力された第２の映像信号とを合成して表示するための制御を行う。前記表示領域は、前記テレビジョン放送信号によって搬送される放送番組データの視聴時に操作するアイコンを表示するための領域を除いた領域に対応するものである。
【発明の効果】
【００１２】
この発明によれば、携帯電話機向けに提供されるコンテンツプロバイダのサービスを、低コストで、手軽かつより快適に利用することを実現できる。
【図面の簡単な説明】
【００１３】
【図１】本発明の実施形態に係る画像表示装置の利用様態の一例を示す図。
【図２】同実施形態の画像表示装置のシステム構成を示す図。
【図３】同実施形態の画像表示装置における初期画面のレイアウト構成の一例を示す図。
【図４】同実施形態の画像表示装置によって電源オン時に表示される初期画面の一例を示す図。
【図５】同実施形態の画像表示装置がテレビジョン放送番組データの映像を全画面表示した場合の一画面例を示す図。
【図６】同実施形態の画像表示装置におけるコンテンツ・サービスプロバイダのサービスを利用する際の画面のレイアウト構成の一例を示す図。
【図７】同実施形態の画像表示装置がコンテンツ・サービスプロバイダのサービスを利用するための画像を全画面表示した場合の一画面例を示す図。
【図８】同実施形態の画像表示装置における画面のレイアウト構成の第１の変形例を示す図。
【図９】同実施形態の画像表示装置における画面のレイアウト構成の第２の変形例を示す図。
【図１０】同実施形態の画像表示装置の動作手順を示すタイミングチャート。
【発明を実施するための形態】
【００１４】
以下、図面を参照して、この発明の一実施形態を説明する。
【００１５】
図１は、この発明の実施形態に係る画像表示装置（テレビジョン受像機）１の利用態様の一例を示す図である。
【００１６】
本画像表示装置１は、テレビジョン受像機として動作するために、ＴＶ放送局２から放送される地上デジタル放送用のテレビジョン放送信号を入力し、このテレビジョン放送信号によって搬送される（符号化された）放送番組データを再生して表示するＴＶ機能を主要な機能として備える。本画像表示装置１は、リモートコントローラ１Ａから例えば赤外線を搬送波として送出される操作信号を受信し、この操作信号に基づき、パワーオン／パワーオフを行ったり、チャンネル選択を行ったり等のユーザインタフェース機能も有している。
【００１７】
また、本画像表示装置１は、移動局（携帯電話機）を携帯電話通信網Ａに接続するための無線サービスエリア（セル）を形成する基地局３との間で無線通信を実行する無線通信機能を有している。携帯電話事業者が携帯電話通信網Ａの運営用に設置するサーバ（携帯電話事業者サーバ）４は、インターネット・サービス・プロバイダ（ＩＳＰ）としての役割も担っており、携帯電話機のユーザは、インターネットＢを介して、コンテンツ・サービス・プロバイダ５が提供する各種サービスを利用することができる。
【００１８】
（携帯電話通信網Ａに接続するための一拠点である）基地局３との間で無線通信を実行する無線通信機能を有する本画像表示装置１は、つまり、テレビジョン受像機であると同時に、（音声通話機能を持たない）携帯電話機であるとも言うことができる。本画像表示装置１は、テレビジョン放送番組データを視聴するためのテレビジョン受像機でありながら、単体で、携帯電話機向けに提供されるコンテンツ・サービス・プロバイダ５のサービスを（高精細な大画面とリモートコントローラ１Ａとを使って）手軽かつより快適に利用できるようにしたものであり、以下、その仕組みについて詳述する。
【００１９】
図２は、本画像表示装置１のシステム構成を示す図である。
【００２０】
図２に示すように、本画像表示装置１は、大きく分けて、テレビＳｏＣ（system on a chip）１１、モバイルＳｏＣ１２およびＨＤＭＩ（high-definition multimedia interface）変換回路１３の３つの構成要素からなる。
【００２１】
テレビＳｏＣ１１は、本画像表示装置１をテレビジョン受像機として動作させるために必要な種々のモジュールが１つのチップ上に集積されたシステムである。本画像表示装置１の筐体周壁部には、テレビアンテナ等で受信したテレビジョン放送信号を入力するためのコネクタ２１、１本のケーブルでデジタルの映像信号および音声信号双方を転送可能なインターフェース規格であるＨＤＭＩに準拠したＨＤＭＩケーブルを接続するためのコネクタ２２、リモートコントローラ１Ａから例えば赤外線を搬送波として送出される操作信号を受信するための受光部２３、リモートコントローラ１Ａによらずに本画像表示装置１に対する動作指示を受け付けるための操作部２４、画像出力用のＬＣＤ（liquid crystal display）パネル２５、音声出力用のスピーカ２６等が設けられている。また、スピーカ２６とテレビＳｏＣ１１との間には、デジタル信号をアナログ信号に変換するためのＤＡＣ（digital/analog converter）２７が設けられる。
【００２２】
コネクタ２１を介して入力されるテレビジョン放送信号は、テレビＳｏＣ１１に供給される。また、受光部２３によって受信される、リモートコントローラ１Ａからの操作信号も、テレビＳｏＣ１１に供給される。テレビＳｏｃ１１は、受光部２３からの操作信号または操作部２４からの操作信号に基づき、コネクタ２１を介して入力されるテレビジョン放送信号の中から目的のチャンネルのテレビジョン放送信号を選局する。
【００２３】
図２に示すように、テレビＳｏＣ１１は、グラフィックス処理部１１１、ビデオデコーダ１１２、オーディオデコーダ１１３、ＨＤＭＩ分離部１１４、スケーリング部１１５，１１６、オーバレイ部１１７、ブレンド部１１８、画像処理部１１９、ミキシング部１２０等を有している。テレビＳｏＣ１１は、選局したチャンネルのテレビジョン放送信号によって搬送される放送番組データ中に含まれるグラフィックスデータ、映像データおよび音声データを、グラフィックス処理部１１１、ビデオデコーダ１１２およびオーディオデコーダ１１３にそれぞれ振り分ける。グラフィックス処理部１１１、ビデオデコーダ１１２およびオーディオデコーダ１１３のそれぞれは、供給された各データに対してデコード等の所定の処理を実施する。なお、ここでは、ビデオデコーダ１１２、オーディオデコーダ１１３に入力されるデコード前の各データを映像データ、音声データと称し、ビデオデコーダ１１２、オーディオデコーダ１１３から出力されるデコード後の各データを映像信号、音声信号と称している。グラフィックスデータは、例えばメニュー等、映像に重ねて表示させる操作ガイド用のオブジェクトを描画するためのデータである。
【００２４】
また、コネクタ２２を介して入力される信号も、テレビＳｏＣ１１に供給され、ＨＤＭＩ分離部１１４によって映像信号と音声信号とに分離される。ビデオデコーダ１１２から出力された映像信号は、スケーリング部１１５経由でオーバレイ部１１７に供給され、一方、ＨＤＭＩ分離部１１４から出力された映像信号は、スケーリング部１１６経由でオーバレイ部１１７に供給される。スケーリング部１１５，１１６は、映像信号の解像度、つまり画像サイズを拡大・縮小する処理部であり、オーバレイ部１１７は、スケーリング部１１５，１１６からそれぞれ供給される２つの映像信号の各映像を含んでなる１つの映像の映像信号を生成する処理部である。このスケーリング部１１５，１１６およびオーバレイ部１１７によって、本画像表示装置１は、例えば、一方の映像信号の映像に他方の映像信号の縮小映像を嵌め込んだ映像（ピクチャ・イン・ピクチャ）を作成すること等が可能である。
【００２５】
例えば、ユーザが、ハードディスク内蔵のＤＶＤ（digital versatile disc）レコーダで録画したテレビジョン放送番組データ（第１の映像）を本画像表示装置１で鑑賞しながら、現在放送中のテレビジョン放送番組データ（第２の映像）を確認したいと考えたものと想定する。スケーリング部１１５，１１６およびオーバレイ部１１７を有するテレビＳｏＣ１１を搭載する本画像表示装置１では、例えば、リモートコントローラ１Ａの操作に応じて、（全画面表示される）第１の映像に縮小した第２の映像を嵌め込むことで、第１，第２の映像をユーザに同時に提示するといったことが可能である。もちろん、これとは逆に、第２の映像に縮小した第１の映像を嵌め込むことも可能である。更に、リモートコントローラ１Ａの操作に応じて、全画面表示させる映像と縮小して嵌め込む画像とを相互に入れ替えるといったことも可能である。
【００２６】
ブレンド部１１８は、オーバレイ部１１７から出力された映像信号の映像上にグラフィックス処理部１１１によって描画されたオブジェクトを重ね合わせた映像の映像信号を生成する処理部である。そして、画像処理部１１９は、ブレンド部１１８から出力された映像信号をＬＣＤパネル２５に表示制御する。また、この時、画像処理部１１９は、映像信号に対して、例えば画質を向上させるための超解像処理等も併せて実施する。
【００２７】
また、オーディオデコーダ１１３から出力された音声信号およびＨＤＭＩ分離部１１４から出力された音声信号は、それぞれミキシング部１２０を介してテレビＳｏＣ１１から出力され、ＤＡＣ２７でアナログ変換が施されてスピーカ２６から出力される。
【００２８】
一方、モバイルＳｏＣ１２は、本画像表示装置１を携帯電話機として動作させるために必要な種々のモジュールが１つのチップ上に集積されたシステムである。本画像表示装置の筐体周壁部には、更に、図１に示した基地局３との間でデータを送受信するためのアンテナ２８が設けられている。モバイルＳｏＣ１２は、このアンテナ２８を介して、図１に示したコンテンツ・サービス・プロバイダ５との通信を実行する。
【００２９】
アンテナ２８を介して入力される、コンテンツ・サービス・プロバイダ５からのデータのうち、グラフィックスデータは、グラフィックス処理部１２１に供給される。また、映像データおよび音声データは、ビデオデコーダ１２２およびオーディオデコーダ１２３にそれぞれ供給される。グラフィックス処理部１２１、ビデオデコーダ１２２およびオーディオデコーダ１２３のそれぞれは、供給された各データに対してデコード等の所定の処理を実施する。そして、モバイルＳｏＣ１２は、これらの処理結果として映像信号および音声信号を出力する。また、グラフィックス処理部１２１は、例えば待ち受け画面などと称される初期画面を含む各種操作画面を作成する処理も実行する。
【００３０】
言うなれば、モバイルＳｏＣ１２は、一般的な携帯電話機に搭載されるＳｏＣをそのまま移植したものである。この一般的な携帯電話機に搭載されるＳｏＣであるモバイルＳｏＣ１２が出力する映像信号は、ＲＧＢパラレルの映像信号フォーマットで、かつ、その解像度は３２０×２００画素または６４０×４８０画素である。一方、現状、テレビＳｏＣ１１が外部デバイスから入力可能な映像信号は、（１９２０×１０８０画素の）ＨＤＭＩフォーマットである。従って、モバイルＳｏＣ１２が出力した映像信号をテレビＳｏＣ１１に入力し、テレビＳｏＣ１１側で当該映像信号を表示制御するためには、コストをかけて、一方のＳｏＣを仕様変更する必要がある。
【００３１】
そこで、本実施形態の画像表示装置１は、テレビジョン受像機である本画像表示装置１にモバイルＳｏＣ１２を追加するという全く新しい発想の構成を持つにあたり、第１に、モバイルＳｏＣ１２とテレビＳｏＣ１１との間にＨＤＭＩ変換回路１３を設けることによって、モバイルＳｏＣ１２およびテレビＳｏＣ１１のいずれに対しても何らの仕様変更を必要とせずに、当該モバイルＳｏＣ１２とテレビＳｏＣ１１との間で映像信号を送受信できるようにした。また、第２に、モバイルＳｏＣ１２とテレビＳｏＣ１１との間にＣＰＵ間通信用の制御信号線１４を敷設し、一般的な携帯電話機が操作ボタンを操作された時に発行するユーザインタフェース（ＵＩ）コマンド等をテレビＳｏＣ１１からモバイルＳｏＣ１２に供給することによって、一般的な携帯電話機に搭載されるＳｏＣであるモバイルＳｏＣ１２をそのまま流用し、ユーザが、テレビジョン放送番組データを視聴するためのリモートコントローラ１Ａを用いて、携帯電話機向けにコンテンツ・サービス・プロバイダ５が提供する各種サービスを利用できるようにした。
【００３２】
テレビＳｏＣ１１は、電源オンを指示する操作信号を受光部２３または操作部２４から受け取ると、ＬＣＤパネル２５に表示する初期画面を作成するために、制御信号線１４を介して、モバイルＳｏＣ１２に対し、表示領域のレイアウト構成を示すレイアウト情報を送信する。例えば、初期画面を図３に示すように構成する場合、テレビＳｏＣ１１は、図３の”ａ２”で示される領域（アプリケーションデータエリア）に対応するレイアウト情報をモバイルＳｏＣ１２に送信する。多機能化した最近の携帯電話機は、各機能のアイコンを配置した初期画面（待ち受け画面）を作成して表示する。また、この種の携帯電話機に搭載されるＳｏＣは、例えば表示パネルの向きに応じて画面を作成する等のために、与えられたレイアウト情報に基づいて画面を作成する機能を備えている。そこで、このレイアウト情報を受信したモバイルＳｏＣ１２は、当該レイアウト情報に基づき、図３に示すアプリケーションデータエリアａ２上にアイコンを配置した初期画面を作成し、この作成した初期画面の映像信号を出力する。
【００３３】
このモバイルＳｏＣ１２から出力された映像信号は、モバイルＳｏＣ１２とテレビＳｏＣ１１との間に介在して設けられるＨＤＭＩ変換回路１３に供給される。ＨＤＭＩ変換回路１３は、この映像信号のフォーマットを、テレビＳｏＣ１１が外部デバイスから入力可能なフォーマット、つまりＨＤＭＩ規格に準拠したフォーマットに変換し、テレビＳｏＣ１１に供給する。
【００３４】
テレビＳｏＣ１１は、ビデオデコーダ１１２から出力される映像信号の映像を、スケーリング部１１５によって図３の”ａ１”で示される領域（ＴＶデータエリア）に配置可能なサイズに縮小し、この縮小した映像と、モバイルＳｏＣ１２からＨＤＭＩ変換回路１３経由で受け取った（ＨＤＭＩ分離部１１４から出力される）映像信号の映像とを、オーバレイ部１１７で組み合わせ、このオーバレイ部１１７によって作成・出力された映像信号の映像をＬＣＤパネル２５に表示制御する。
【００３５】
図４は、電源オン時に、上記の手順を経て、本画像表示装置１のＬＣＤパネル２５に表示される初期画面の一例を示す図である。
【００３６】
図４の”ｂ１”で示される映像は、コネクタ２１から入力される現在放送中のテレビジョン放送番組データの映像であり、この初期画面上に表示される映像ｂ１は、ＴＶ機能用のアイコンとして表示されるものである。ここでは、現在放送中のテレビジョン放送番組データの映像そのものを、ＴＶ機能用のアイコンとして表示する例を示したが、これに代えて、ＴＶ機能を図案化した（グラフィックスの）オブジェクトを表示するようにしても良い。また、図４の”ｂ２”で示されるアイコン群は、（テレビＳｏＣ１１から受け取ったレイアウト情報に基づき、）モバイルＳｏＣ１２が作成した初期画面に配置されたアイコン群である。
【００３７】
例えばリモートコントローラ１Ａを使って本画像表示装置１を電源オンし、当該初期画面を提示されたユーザは、ＴＶ放送局２が放送するテレビジョン放送番組データを視聴したいのであれば、アイコンｂ１をリモートコントローラ１Ａによって選択し、一方、コンテンツ・サービス・プロバイダ５が携帯電話機向けに提供する各種サービスを利用したいのであれば、アイコン群ｂ２の中から利用したいサービスに対応するアイコンをリモートコントローラ１Ａによって選択する。
【００３８】
アイコンｂ１が選択された旨を示す操作信号を受光部２３から受け取ると、テレビＳｏＣ１１は、図５に示すように、現在放送中のテレビジョン放送番組データの映像がＬＣＤパネル２５に全画面表示されるように、スケーリング部１１５，１１６およびオーバレイ部１１７を動作させる。この時、テレビＳｏＣ１１は、制御信号線１４を介して、動作停止を指示するコマンドをモバイルＳｏＣ１２に送信することが（省電力化の観点から）好ましい。
【００３９】
また、例えば、ユーザが、コンテンツ・サービス・プロバイダ５が提供するネットショッピングサービスを利用したいと考えて、アイコン群ｂ２の中から当該ネットショッピングサービス用のアイコンｂ２１を選択したとする。テレビＳｏＣ１１は、アイコン群ｂ２の中のいずれかのアイコン（この場合はアイコンｂ２１）が選択された旨を示す操作信号を受光部２３から受け取ると、制御信号線１４を介して、当該アイコンが選択された旨を示すユーザインタフェース（ＵＩ）コマンドをモバイルＳｏＣ１２に送信する。また、この時、テレビＳｏＣ１１は、図３に示したアプリケーションデータエリアａ２を図６に示すように変更すべく画面を構成し直し、このＬＣＤパネル２５の表示領域全域に対応するレイアウト情報をモバイルＳｏＣ１２に再送する。
【００４０】
テレビＳｏＣ１１がモバイルＳｏＣ１２に向けて制御信号線１４に出力するＵＩコマンドは、一般的な携帯電話機が操作ボタンを操作された時に発行するコマンドと同一のものである。よって、このＵＩコマンドを入力したモバイルＳｏＣ１２は、ネットショッピングサービスを提供するコンテンツ・サービス・プロバイダ５へのアクセスを実行するアプリケーションプログラムを起動し、かつ、（ＬＣＤパネル２５の表示領域全域に対応するレイアウト情報を改めて受け取っているので）当該アプリケーションプログラムが出力する画像をＬＣＤパネル２５の表示領域全域に配置した表示画面を作成し、この作成した表示画面の映像信号を出力する。
【００４１】
前述したように、モバイルＳｏＣ１２から出力された映像信号は、ＨＤＭＩ変換回路１３経由でテレビＳｏＣ１１に供給される。ここでは、テレビＳｏＣ１１は、図７に示すように、（ＨＤＭＩ変換回路１３経由で）モバイルＳｏＣ１２から供給される映像信号の映像がＬＣＤパネル２５に全画面表示されるように、スケーリング部１１５，１１６およびオーバレイ部１１７を動作させる。この図７に示す画面を見ながら、ユーザが、リモートコントローラ１Ａによる操作を更に行うと、テレビＳｏＣ１１は、その操作に対応するＵＩコマンドを、制御信号線１４を介してモバイルＳｏＣ１２に送信する。これにより、携帯電話機で行っている、携帯電話機の表示パネルを見ながら携帯電話機の操作ボタンを操作する行為、より具体的には、コンテンツ・サービス・プロバイダ５が携帯電話機向けに提供している各種サービスを利用する行為を、本画像表示装置１のＬＣＤパネル２５を見ながらリモートコントローラ１Ａを操作することによっても行えることになる。
【００４２】
つまり、（テレビＳｏＣ１１に加えて）モバイルＳｏＣ１２を追加するという全く新しい思想の構成を持つ本画像表示装置１においては、ユーザは、携帯電話事業者との契約を結ぶだけで、本画像表示装置１を購入後、ＴＶ放送局２が放送するテレビジョン放送番組データを視聴することに加えて、携帯電話機向けにコンテンツ・サービス・プロバイダ５が提供する各種サービスを即時に利用することが可能となる。
【００４３】
また、本画像表示装置１は、テレビＳｏＣ１１がＨＤＭＩフォーマットの信号を入力する機構を備えている点に着目して、モバイルＳｏＣ１２とテレビＳｏＣ１１との間にＨＤＭＩ変換回路１３を介在させて設けることで、モバイルＳｏＣ１２からテレビＳｏＣ１１への映像信号の供給を、モバイルＳｏＣ１２およびテレビＳｏＣ１１のいずれに対する何らの仕様変更を必要とせずに可能とし、また、モバイルＳｏＣ１２とテレビＳｏＣ１１との間に制御信号線１４を敷設し、携帯電話機上での操作ボタン操作時と同様のＵＩコマンドをテレビＳｏＣ１１からモバイルＳｏＣ１２に供給することで、既存のモバイルＳｏＣ１２をそのまま流用することを可能とする。即ち、本画像表示装置１は、上記「携帯電話機向けにコンテンツ・サービス・プロバイダ５が提供する各種サービスを利用すること」を最小限のコストで実現する。
【００４４】
ところで、以上の説明では、図４に示した初期画面において、アイコンｂ１が選択されたら、図５に示すように、現在放送中のテレビジョン放送番組データの映像をＬＣＤパネル２５に全画面表示し、アイコン群ｂ２の中のいずれかのアイコンが選択されたら、図７に示すように、モバイルＳｏＣ１２上で動作するアプリケーションプログラムが出力する画像をＬＣＤパネル２５に全画面表示する例を示した。本画像表示装置１のテレビＳｏＣ１１は、スケーリング部１１５，１１６およびオーバレイ部１１７を備えるので、以上の説明で示した例に限らず、種々の変形が可能である。
【００４５】
例えば、図８に示すように、現在放送中のテレビジョン放送番組データの映像とモバイルＳｏＣ１２上で動作するアプリケーションプログラムが出力する画像とを、ＬＣＤパネル２５に並べて表示することも可能である。また、図９に示すように、モバイルＳｏＣ１２上で動作するアプリケーションプログラムが出力する画像に、現在放送中のテレビジョン放送番組データの縮小映像を嵌め込んで表示することも可能である。このように、２つの映像の表示形態については、様々に応用することができる。
【００４６】
図１０は、本画像表示装置１の動作手順を示すタイミングチャートである。
【００４７】
電源オンの指示を受けると、テレビＳｏＣ１１は、モバイルＳｏＣ１２に対して、初期画面用のアプリケーションデータエリアａ２に対応するレイアウト情報を送信する（図１０の（１））。モバイルＳｏＣ１２は、このレイアウト情報に基づき、アプリケーションデータエリアａ２にアイコン群ｂ２を配置した初期画面を作成し（図１０の（２））、作成した初期画面の映像信号をテレビＳｏＣ１１に送信する（図１０の（３））。なお、ここでは図示しないが、前述したように、モバイルＳｏＣ１２からテレビＳｏＣ１１への映像信号の送信は、ＨＤＭＩ変換回路１３を介して実施される。そして、モバイルＳｏＣ１２から初期画面の映像信号を受け取ったテレビＳｏＣ１１は、ＴＶ機能用のアイコンｂ１を組み込んだ初期画面を作成し、ＬＣＤパネル２５に表示する（図１０の（４））。
【００４８】
この初期画面の表示後、アイコンｂ１が選択されたならば（図１０の”Ａ”）、テレビＳｏＣ１１は、現在放送中のテレビジョン放送番組データの映像をＬＣＤパネル２５に全画面表示する（図１０の（５））。また、この時、テレビＳｏＣ１１は、動作停止を指示するコマンドをモバイルＳｏＣ１２に送信する（図１０の（６））。
【００４９】
一方、アイコン群ｂ２のいずれかのアイコンが選択されたならば（図１０の”Ｂ”）、テレビＳｏＣ１１は、当該アイコンが選択された旨を示すＵＩコマンドをモバイルＳｏＣ１２に送信すると共に（図１０の（７））、ＬＣＤパネル２５の表示領域全域に対応するレイアウト情報をモバイルＳｏＣ１２に再送する（図１０の（８））。
【００５０】
このＵＩコマンドおよびレイアウト情報を受け取ったモバイルＳｏＣ１２は、そのアイコンに対応するサービスを利用するためのアプリケーションプログラムを起動し、当該アプリケーションプログラムが作成する画像をＬＣＤパネル２５の表示領域全域に配置した表示画面（アプリケーション画像）を作成して、その表示画面の映像信号をテレビＳｏＣ１１に送信する（図１０の（９），（１０））。
【００５１】
そして、この映像信号を受け取ったテレビＳｏＣ１１は、当該映像信号の映像を全画面表示すると共に（図１０の（１１）、ユーザの操作に応答して、その操作内容を示すＵＩコマンドをモバイルＳｏＣ１２に送信する（図１０の（１２））。
【００５２】
このように、本画像表示装置１によれば、携帯電話機向けに提供されるコンテンツプロバイダのサービスを、低コストで、手軽かつより快適に利用することが実現される。
【００５３】
なお、以上の説明では、モバイルＳｏＣ１２は、テレビＳｏＣ１１から送信されるレイアウト情報に基づき、画面を作成する例を示したが、これに代えて、テレビＳｏＣ１１から動作状況を示すステータス情報を受け取り、このステータス情報に基づき、モバイルＳｏＣ１２側において、表示領域のレイアウト構成を決定し、画面を作成するようにしてもよい。または、モバイルＳｏＣ１２は、例えば図３に示すアプリケーションデータエリアａ２に対応するレイアウト情報をデフォルト値として予め保持し、テレビＳｏＣ１１から改めてレイアウト情報が送信されるまでは、予め保持するレイアウト情報に基づき、画面を作成するようにしてもよい。
【００５４】
つまり、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【符号の説明】
【００５５】
１…画像表示装置、１Ａ…リモートコントローラ、２…ＴＶ放送局、３…基地局、４…携帯電話事業者サーバ、５…コンテンツ・サービス・プロバイダ、１１…テレビＳｏＣ、１２…モバイルＳｏＣ、１３…ＨＤＭＩ変換回路、１４…制御信号線、２１，２２…コネクタ、２３…受光部、２４…操作部、２５…ＬＣＤパネル、２６…スピーカ、２７…ＤＡＣ、２８…アンテナ、１１１…グラフィックス処理部、１１２…ビデオデコーダ、１１３…オーディオデコーダ、１１４…ＨＤＭＩ分離部、１１５，１１６…スケーリング部、１１７…オーバレイ部、１１８…ブレンド部、１１９…画像処理部、１２０…ミキシング部、１２１…グラフィックス処理部、１２２…ビデオデコーダ、１２３…オーディオデコーダ、Ａ…携帯電話通信網、Ｂ…インターネット。
【図１】
0005546929.tif 000002
【図２】
0005546929.tif 000003
【図３】
0005546929.tif 000004
【図４】
0005546929.tif 000005
【図５】
0005546929.tif 000006
【図６】
0005546929.tif 000007
【図７】
0005546929.tif 000008
【図８】
0005546929.tif 000009
【図９】
0005546929.tif 000010
【図１０】
0005546929.tif 000011